(57)【特許請求の範囲】
【請求項１】
受け部材内に係止するボルトが、錠本体内から突出・退入する錠前において、前記ボルトの側面にスリットを設け、
折曲端部を有する鎌形係止片を、前記スリット内から突出可能で、且つ、スリット内に退入可能に前記ボルトに設け、
前記ボルトが錠本体から突出した状態で、ボルトが錠本体側に向かう力を受けた際に、前記鎌形係止片をスリット内に退入させつつ、前記ボルトを錠本体内に退入可能にするスライド部材を設けたことを特徴とする錠前。
【請求項２】
請求項１に記載の錠前において、ボルトに形成したスリットに対応して錠本体内に突部を突設し、鎌形係止片にはボルトが完全に突出する位置で、前記突部に当接して折曲端部をスリット内から突出させる当接部を形成したことを特徴とする錠前。
【請求項３】
請求項１又は２に記載の錠前において、スリットはボルトの各側面に開口するように形成し、前記各スリット内に折曲端部の間隔が拡開する方向に鎌形係止片を収納したことを特徴とする錠前。
【請求項４】
請求項１から３のうちのいずれか１つに記載の錠前において、折曲端部がスリット内に退入する方向に付勢する圧縮バネをボルト内に収納したことを特徴とする錠前。
【請求項５】
請求項１から４のうちのいずれか１つに記載の錠前と、受け部材との組み合わせ構造であって、受け部材は、開口部分の幅を狭くするフランジ部を備え、錠前の鎌形係止片の折曲端部を受け部材のフランジ部に係止させることを特徴とする錠前と、受け部材との組み合わせ構造。
【発明の詳細な説明】
【０００１】
【発明の属する技術分野】
本発明は、引戸の側端面等からボルトが突出・退入する錠前に関し、詳しくは、施錠された引戸を必要に応じてガイド枠から取り外すことができるようにした錠前に関するものである。
【０００２】
【従来の技術】
引戸用の錠前は、レバー等と連動する鎌形係止片を備えるものが多い。そしてこの種の錠前では、引戸を閉止する際には、レバー等を回動させて鎌形係止片を突出させ、引戸枠等に設けられた受け部材に鎌形係止片を係止させる。
ところで従来技術における錠前の鎌形係止片の動作は、垂直平面上を回動あるいは昇降するものであった。すなわち従来技術の錠前では、鎌を振り下ろす如くに上から下に向かって回動し、鎌形係止片を受け部材の水平部分に係止させる。あるいは逆に鎌形係止片を下から上に向かって回動させ、鎌形係止片を受け部材の水平部分に係止させる。いずれにしても、従来技術の錠前は、鎌形係止片を受け部材の水平部分に係止させるものであった。
【０００３】
【発明が解決しようとする課題】
屋外で使用する錠前は、盗人などの侵入を防止するため、絶対に解錠されることがなく、かつ、引戸をガイド枠から外せないようにされている。他方、屋内で使用する錠前は、不本意に閉じ込められた人を救出することができるようにするため、施錠された状態の引戸をガイド枠から外せるようにしておく必要がある。
【０００４】
しかし従来の引戸錠では、施錠された状態から引戸を取り外すことが困難であった。
すなわち引戸をガイド枠から外すためには、どうしても引戸を上下方向に動かす必要がある。
ところが従来技術の引戸錠は、鎌形係止片が垂直平面上を回動あるいは昇降するものであり、鎌形係止片を受け部材の水平部分に係止させるものであるから、引戸を上下方向に移動させようとしても鎌形係止片が受け部材の水平部分に引っ掛かる。そのため従来技術の引戸錠は、施錠した状態で引戸を上下に移動させることが困難であり、施錠した状態で引戸を取り外し難い。
【０００５】
そこで本発明は、施錠された引戸を必要に応じてガイド枠から取り外すことができるようにした錠前を提供することを目的とする。
【０００６】
また従来技術の引戸錠は、錠本体から鎌形係止片が直接的に突出するものであるため、誤って鎌形係止片を突出させたままで引戸を閉止した場合に、鎌形係止片を傷めてしまうという問題があった。
すなわち引戸錠では、前述の様に鎌形係止片は、レバー等と連動して出入りする。従って引戸錠では、本来引戸を完全に閉止してからレバー等を操作し、鎌形係止片を突出させて受け部材等に係止するべきであるが、つい操作を誤って鎌形係止片が突出したままの状態で引戸を閉じてしまう場合も多い。その場合は、鎌形係止片の突端部分が受け部材等と衝突する。そして鎌形係止片は、先端部分が曲がっており、当該部分が片持ち構造であるため、衝突によって先端部分（鎌状の部分）が曲がってしまうことがある。またあるいは、衝突によって軸部分が座屈してしまうこともある。
そこで本発明は、誤って引戸を閉じても、鎌形係止片を傷めることのない錠前を提供することを目的とする。
【０００７】
【課題を解決するための手段】
上記の課題を解決するための第１の手段は、受け部材内に係止するボルトが、錠本体内から突出・退入する錠前において、前記ボルトの側面にスリットを設け、折曲端部を有する鎌形係止片を、前記スリット内から突出可能で、且つ、スリット内に退入可能に前記ボルトに設け、前記ボルトが錠本体から突出した状態で、ボルトが錠本体側に向かう力を受けた際に、前記鎌形係止片をスリット内に退入させつつ、前記ボルトを錠本体内に退入可能にするスライド部材を設けた。
【０００８】
上記の第１の手段によれば、ボルトが錠本体内から突出すると、鎌形係止片がスリット内から突出し、鎌形係止片の折曲端部が受け部材に係止されて施錠することができ、逆に解錠するときは、ボルトが錠本体内に退入して、鎌形係止片はスリット内に退入する。
上記の第１の手段では、操作を誤って鎌形係止片が突出した状態で引戸を閉じても、鎌形係止片がボルトのスリット内に退入するので、ボルトが受け部材等と衝突することによって傷付くことは少ない。
【０００９】
上記の課題を解決するための第２の手段は、上記の第１の手段に記載の錠前において、ボルトに形成したスリットに対応して錠本体内に突部を突設し、鎌形係止片にはボルトが完全に突出する位置で、前記突部に当接して折曲端部をスリット内から突出させる当接部を形成したことを特徴とする錠前である。
【００１０】
上記の第２の手段によれば、ボルトが受け部材内に入った状態で、錠本体内に突設した突部がスリット内に収納されている鎌形係止片の当接部を押し上げ、折曲端部が受け部材内に係入し、施錠することができる。解錠すると、錠本体内に突設した突部が鎌形係止片の当接部を押し上げなくなるため、折曲端部が受け部材内から外れてボルトに形成したスリット内に退入する。
【００１１】
上記の課題を解決するための第３の手段は、上記の第１の手段又は第２の手段に記載の錠前において、スリットはボルトの各側面に開口するように形成し、前記各スリット内に折曲端部の間隔が拡開する方向に鎌形係止片を収納したことを特徴とする錠前である。
【００１２】
上記の第３の手段によれば、スリット内に収納された鎌形係止片が反対方向に突出し、折曲端部が受け部材内に係入する。そして受け部材内で鎌形係止片は拡開し、受け部材の垂直部分と係止する。
【００１３】
上記の課題を解決するための第４の手段は、上記の第１の手段から第３の手段のうちのいずれか１つに記載の錠前において、折曲端部がスリット内に退入する方向に付勢する圧縮バネをボルト内に収納したことを特徴とする錠前である。
【００１４】
上記の第４の手段によれば、錠本体内に突設した突部が鎌形係止片の当接部を押し上げない限り、圧縮バネによって、折曲端部がスリット内に退入する方向に付勢される。したがって、折曲端部がスリット内から突出したままボルトが錠本体内に突出・退入することがなくなる。
【００１５】
上記の課題を解決するための第５の手段は、上記の第１から第４の手段のうちのいずれか１つに記載の錠前と、受け部材との組み合わせ構造であって、受け部材は、開口部分の幅を狭くするフランジ部を備え、錠前の鎌形係止片の折曲端部を受け部材のフランジ部に係止させることを特徴とする錠前と、受け部材との組み合わせ構造である。
【００１６】
上記の第５の手段によれば、受け部材の開口部が狭くても、ボルトがその開口部の部分を出入りして、完全に受け部材内に入った状態で、鎌形係止片の折曲端部がフランジの裏面側から係止して、施錠することができる。また上記の第５の手段では、鎌形係止片は、フランジの垂直部分と係止するので、施錠状態においても垂直方向には自由度を残す。そのため引戸が施錠された状態であっても、引戸を上下方向に移動させることができ、引戸を取り外すことができる。
【００１７】
【発明の実施の形態】
本発明の実施の形態を図１から図８を参照して説明する。図１は、本発明に係る錠前の斜視図である。図２は、本発明に係る錠前の要部分解斜視図である。図３は、本発明に係る錠前の解錠状態における平面断面図である。図４は、本発明に係る錠前の解錠状態における正面断面図である。図５は、本発明に係る錠前の施錠状態における平面断面図である。図６は、本発明に係る錠前の施錠状態における施錠状態における正面断面図である。図７は、本発明に係る錠前と組み合わせる受け部材の正面図である。図８は、引戸を取り外す際の状態を示す受け部材の正面図である。
【００１８】
本発明の実施の形態に係る錠前は、筒状の錠本体１０内にスライド部材２０とボルト３０とを収納し、ボルト３０の先端部３０ａから薄板状の鎌形係止片３１が横方向（水平方向）に突出・退入することができるようにしたものである。錠本体１０の側面には引戸１に取り付ける軸（図示せず）を挿通するための連通穴１１を穿設する。錠本体１０の上面には後記するハブ４０の逃げしろとなる窓部１２を形成する。
【００１９】
錠本体１０内に収納するスライド部材２０は、図２に示すように天部２１と座部２２とをＬ字形に折曲したもので、天部２１の中心部には矩形穴２３を穿設し、天部２１の後端部には突片２４を外側へ折曲し、座部２２には丸穴２５を形成する。前記矩形穴２３には、ハブ４０に突設した揺動部４１が係入し、ハブ４０を回動させることによって、スライド部材２０が前後に移動する。揺動部４１の先端部分は矩形穴２３から若干、突出するが、錠本体１０の上面に形成した窓部１２内で移動することができる。揺動部４１の揺動によってスライド部材２０が錠本体１０内で前後に移動する。
【００２０】
揺動部４１を突設するハブ４０の中心には角穴４２を形成し、その角穴４２にレバー（図示せず）を取り付けた角軸を取り付ける。レバーは引戸１の表面から摘めるようにしたもので、使用者がレバーを操作することによって、ハブ４０が回動し、スライド部材２０が前後に移動する。ハブ４０には図４及び図６に示すように、揺動部４１と反対方向に凸部４３を突設する。凸部４３は、ハブ４０の節度付けをするために設けられたものであり、図４，図６の様に先端が尖っており、側面は所定の角度が設けられた平面である。そして凸部４３は端部の平面にはコイルバネ４５が当接され、節度付けが成されている。従ってハブ４０は、図４または図６の様な位置で安定し、その中間位置では不安定となって停止しない。そのためスライド部材２０は、前進した位置か、あるいは後退した位置で安定し、その中間位置では停止しない。
【００２１】
スライド部材２０の天部２１の後端部には突片２４を折曲する。したがって、この突片２４が係入する長孔１３を錠本体１０の側面に穿設する。突片２４が長孔１３にガイドされて、スライド部材２０が変形することがないようにする。
【００２２】
スライド部材２０の座部２２には、丸穴２５に挿通するネジ２６によってボルト３０を固定し、スライド部材２０が前後動することにより、ボルト３０が錠本体１０の前端面から突出・退入するようにする。ボルト３０の側面には突起３４を突設する。したがって、錠本体１０にもその突起３４が係入して移動できる長孔１４を形成する。さらに、ボルト３０の側面から先端面には図３に示すように、薄板状の鎌形係止片３１を収納するスリット３５を上下２列に形成する。
【００２３】
このスリット３５はボルト３０の反対側の側面に開口するように形成し、鎌形係止片３１が左右に離隔する方向に突出できるようにする。鎌形係止片３１は、中心から基端側寄りに軸穴３１ａを穿設し、先端側に折曲端部３１ｂを形成し、基端側に小軸部３１ｃを突設したものとする。折曲端部３１ｂと小軸部３１ｃとは軸穴３１ａを中心にした点対象の位置になるように形成する。
【００２４】
ボルト３０にも、スリット３５内に収納された鎌形係止片３１の軸穴３１ａと連続するように軸穴３２を縦方向に形成し、この両軸穴３１ａ，３２にピン３３を入れることによって、２枚の鎌形係止片３１が軸穴３１ａを中心軸にして揺動し、折曲端部３１ｂがスリット３５内から反対方向に突出・退入する。ただし、鎌形係止片３１の小軸部３１ｃに圧縮バネ３６を巻装することにより、鎌形係止片３１の折曲端部３１ｂが通常はボルト３０のスリット３５内に収納されるように付勢される。
【００２５】
このボルト３０のスリット３５の位置に対応して錠本体１０の側部には、内方へ突部１５を突出させ、ボルト３０が前進すると、鎌形係止片３１の小軸部３１ｃの基端部分である当接部３１ｄが押し上げられ、鎌形係止片３１の折曲端部３１ｂがスリット３５内から突出するようにする。ボルト３０が退入すると、鎌形係止片３１の小軸部３１ｃが圧縮バネ３４に付勢されて、鎌形係止片３１がボルト３０のスリット３５内に収納される。
【００２６】
他方、上記の錠前のボルト３０が係入する受け部材５０は、図３から図８に示すように壁５の表面に固定する取付板５１の裏面側にボックス５２を取り付け、そのボックス５２内で移動することができるスライドボックス５３を収納したものとする。取付板５１は上記ボルト３０が出入りする開口部を形成したもので、この開口部の縦の幅を狭くするように、スライドボックス５３の出入口部分にフランジ５３ａを内方向へ折曲する。このフランジ５３ａに、上記ボルト３０のスリット３５から突出した鎌形係止片３１の折曲端部３１ｂが係合する。したがって、ボルト３０が突出・退入する位置に対応させて、スライドボックス５３を取り付ける必要がある。そのため、スライドボックス５３はボックス５２内で左右に移動することができるようにする。上記の鎌形係止片３１の折曲端部３１ｂがスライドボックス５３のフランジ５３ａと係止することができるようにスライドボックス５３の固定位置を調整した後、ネジ５４によってスライドボックス５３をボックス５２に固定する。
【００２７】
本発明に係る錠前及び受け部材５０は上記のように構成し、次に引戸１を壁５に当接させて施錠及び解錠する方法について説明する。
【００２８】
開扉されて、引戸１が壁５から離隔しているときや施錠されていないときは、図３及び図４に示すように、スライド部材２０が後退し、ボルト３０が錠本体１０内に退入した状態にある。このとき、ハブ４０に突設した凸部４３はコイルバネ４５と当接しているため、スライド部材２０の矩形穴２３内に係入した揺動部４１は後方に傾斜した姿勢を維持し、ボルト３０が不意に錠本体１０内から突出することがない。
【００２９】
閉扉して、引戸１の端面が壁５に当接すると、使用者がレバーを回してハブ４０を回動させる。すると、ハブ４０に突設した凸部４３がコイルバネ４５を強制的に撓ませた後、スライド部材２０の矩形穴２３内に係入している揺動部４１が前方に傾倒してスライド部材２０が前進する。スライド部材２０の座部２２にはボルト３０を固定してあるため、そのボルト３０は、使用者がレバーを回すことによって、錠本体１０内から突出する。
【００３０】
ボルト３０が錠本体１０内から完全に突出する直前において、ボルト３０のスリット３５内に収納されている鎌形係止片３１の当接部３１ｄが、錠本体１０の突部１５に押し上げられて、２枚の鎌形係止片３１の折曲端部３１ｂがスリット３５内から反対方向に突出する。するとこの折曲端部３１ｂが図５及び図６に示すように、壁５に埋設された受け部材５０のスライドボックス５３のフランジ５３ａに係止された状態となって施錠される。このように施錠された状態においては、ハブ４０に突設した凸部４３がコイルバネ４５に当接しているため、不意にボルト３０が錠本体１０内に退入して、解錠されることがない。
【００３１】
使用者が解錠しようとするときは、レバーを上記とは逆方向に回動し、ハブ４０に突設した揺動部４１を後方へ傾倒させる。すると、揺動部４１がスライド部材２０に形成した矩形穴２３に係入していることから、スライド部材２０が後退する。このとき、鎌形係止片３１の当接部３１ｄが錠本体１０の突部１５に押し上げられなくなり、かつ、鎌形係止片３１の小軸部３１ｃに巻装した圧縮バネ３４がその小軸部３１ｃを付勢することによって、鎌形係止片３１の折曲端部３１ｂがスリット３５内に退入する。すると、鎌形係止片３１の折曲端部３１ｂが受け部材５０のスライドボックス５３のフランジ５３ａから外れ、開扉することができる。
【００３２】
またもし使用者が誤って、ボルト３０が錠本体１０内から突出した状態で閉扉した場合には、ボルト３０は、錠本体１０内に沈み、鎌形係止片３１や受け部材５０を傷めることはない。すなわちボルト３０の先端が何かに当たって、ボルト３０が錠本体１０側に向かう力を受けた場合、スライド部材２０は、後退方向に力を受け、矩形穴２３を介してハブ４０を押す。そしてその力が一定量を越えると、コイルバネ４５が撓み、ハブ４０が反転する。その結果スライド部材２０が後退し、ボルト３０は錠本体１０内に沈む。
【００３３】
なお本実施形態では、ハブ４０はコイルバネ４５によって節度付けが成されているので、ボルト３０が受け部材５０等に当たってある程度後退すれば、コイルバネ４５の力によってハブ４０が強制的に回動され、ボルト３０は強制的に錠本体１０内に没入する。
またボルト３０は、節度付けされた動作をするために、動き始めにはある程度の力を要し、ボルト３０は相当の衝撃を受けることとなるが、ボルト３０はブロック状の形状をしており、従来技術の鎌形係止片に比べて極めて剛性が高い。そのため、ボルト３０の先端が受け部材５０等と衝突しても、ボルト３０が痛むことは少ない。
【００３４】
次に、本発明に係る錠前の特徴的な使用方法について説明する。本発明に係る錠前は、施錠された引戸であっても、必要に応じてガイド枠（図示せず）から外すことができる。すなわち本発明の錠前が施錠された状態では、鎌形係止片３１の折曲端部３１ｂが受け部材５０のスライドボックス５３のフランジ５３ａと係止されている。言い換えれば、鎌形係止片３１の折曲端部３１ｂは、受け部材５０の垂直部分と係止している。従って鎌形係止片３１は、引き抜き方向および水平方向には自由度を持たないが、上下方向には動きを規制するものはなく、鎌形係止片３１は上下に相当の自由度を持つ。
【００３５】
したがって、引戸を施錠した状態であっても、引戸自身を上下に移動させることができる。そのため、本発明の錠前では施錠状態のままで引戸をガイド枠から外すことができる。
その後は、引戸１の錠前を取り付けた部分を中心軸にして、引戸１を少し傾倒させると、図８に示すように鎌形係止片３１の折曲端部３１ｂが受け部材５０のスライドボックス５３のフランジ５３ａから外れ、引戸１を外すことができる。
【００３６】
なお、本発明は上記の実施の形態に限定することなく、本発明の要旨内において設計変更することができる。例えば、受け部材は壁ではなく、引戸の端面にも取り付けることができる。
【００３７】
【発明の効果】
本発明によれば、受け部材のフランジに係止する折曲端部を鎌形係止片に形成し、その鎌形係止片がボルトに形成したスリットから突出・退入するようにしたことにより、確実に施錠・解錠することができる。
また、特に請求項３記載の発明では、施錠した状態であっても、鎌形係止片は上下方向に自由度を持ち、施錠状態のままで引戸を上下に移動させることができる。
したがって、施錠された引戸であっても、必要に応じてガイド枠から取り外すことができる。この結果、引戸内に閉じ込められた人を救出することも可能になる。
【００３８】
加えて本発明によれば、誤ってボルトが突出した状態で引戸を閉じても、鎌形係止片はボルトのスリット内に退入するので、鎌形係止片が痛むことはない。
【図面の簡単な説明】
【図１】本発明に係る錠前の斜視図である。
【図２】本発明に係る錠前の要部分解斜視図である。
【図３】本発明に係る錠前の解錠状態における平面断面図である。
【図４】本発明に係る錠前の解錠状態における正面断面図である。
【図５】本発明に係る錠前の施錠状態における平面断面図である。
【図６】本発明に係る錠前の施錠状態における施錠状態における正面断面図である。
【図７】本発明に係る錠前と組み合わせる受け部材の正面図である。
【図８】引戸を取り外す際の状態を示す受け部材の正面図である。
【符号の説明】
１０  錠本体
１５  突部
３０  ボルト
３１  鎌形係止片
３１ｂ  折曲端部
３１ｄ  当接部
３５  スリット
３６  圧縮バネ
５０  受け部材
５３ａ  フランジ
【図１】
0003623603.tif 000002
【図２】
0003623603.tif 000003
【図３】
0003623603.tif 000004
【図４】
0003623603.tif 000005
【図５】
0003623603.tif 000006
【図６】
0003623603.tif 000007
【図７】
0003623603.tif 000008
【図８】
0003623603.tif 000009